(57)【要約】【課題】  広画角、小型軽量で全ズーム範囲に渡り高い光学性能を有するズームレンズ及びそれを有する撮像装置を提供すること。【解決手段】物体側から像側へ順に、負の屈折力の第１レンズ群、正の屈折力の第２レンズ群、正の屈折力の第３レンズ群、負の屈折力の第４レンズ群、正の屈折力の第５レンズ群を有し、前記第１レンズ群は変倍時に固定、少なくとも前記第２レンズ群、第３レンズ群、第４レンズ群は変倍時に移動し、前記第１レンズ群は、１枚以上の正レンズを含み、前記第１レンズ群、第２レンズ群、第３レンズ群の焦点距離ｆ１、ｆ２、ｆ３、広角端から望遠端への変倍に際して、第２レンズ群と第４レンズ群の移動量ｍ２、ｍ４を適切に設定すること。【選択図】  図１
2019003073.tif 000002
【特許請求の範囲】
【請求項１】
物体側から像側へ順に、負の屈折力の第１レンズ群、正の屈折力の第２レンズ群、正の屈折力の第３レンズ群、負の屈折力の第４レンズ群、正の屈折力の第５レンズ群を有し、
前記第１レンズ群は変倍時に固定、少なくとも前記第２レンズ群、第３レンズ群、第４レンズ群は変倍時に移動し、
前記第１レンズ群は、１枚以上の正レンズを含み、
前記第１レンズ群、第２レンズ群、第３レンズ群の焦点距離を各々ｆ１、ｆ２、ｆ３、広角端から望遠端への変倍に際して、第２レンズ群と第４レンズ群の移動量を各々ｍ２、ｍ４としたとき、以下の式を満たすことを特徴とするズームレンズ。
−１．０＜ｆ１×（ｆ２＋ｆ３）／（ｆ２×ｆ３）＜−０．３
−０．９＜ｍ４／ｍ２＜−０．３
【請求項２】
無限遠より光束が入射する際の広角端と望遠端における前記第２レンズ群の横倍率を各々β２ｗ、β２ｔ、第３レンズ群の横倍率を各々β３ｗ、β３ｔ、広角端と望遠端の焦点距離を各々ｆｗ、ｆｔとしたとき、以下の式を満たすことを特徴とする請求項１記載のズームレンズ。
０．５＜（ｆｗ×β２ｔ×β３ｔ）／（ｆｔ×β２ｗ×β３ｗ）＜１．０
【請求項３】
前記第１レンズ群、第４レンズ群の焦点距離を各々ｆ１、ｆ４としたとき、以下の式を満たすことを特徴とする請求項１または２に記載のズームレンズ。
０．４＜ｆ１／ｆ４＜１．２
【請求項４】
前記第２レンズ群、第３レンズ群の焦点距離を各々ｆ２、ｆ３としたとき、以下の式を満たすことを特徴とする請求項１乃至３のいずれか１項に記載のズームレンズ。
０．４＜ｆ２／ｆ３＜２．０
【請求項５】
前記第２レンズ群と第３レンズ群の広角端における空気間隔をＬ２３ｗ、ズーム比をＺ、広角端からのズーム比がＺ０．５における前記第２レンズ群と前記第３レンズ群の空気間隔をＬ２３ｗｍとしたとき、以下の式を満たすことを特徴とする請求項１乃至４のいずれか１項に記載のズームレンズ。
２．０＜Ｌ２３ｗｍ／Ｌ２３w＜１５．０
【請求項６】
前記第１レンズ群は、フォーカシングの際に移動するレンズ群を含むことを特徴とする請求項１乃至５のいずれか１項に記載のズームレンズ。
【請求項７】
請求項１乃至６のいずれか１項に記載のズームレンズと前記ズームレンズによって形成された像を受光する固体撮像素子を有することを特徴とする撮像装置。
【発明の詳細な説明】
【技術分野】
【０００１】
本発明は、ズームレンズ及びそれを有する撮像装置に関し、特に放送用テレビカメラ、映画用カメラ、デジタルスチルカメラ、銀塩写真用カメラ等に好適なものである。
【背景技術】
【０００２】
近年、テレビカメラや映画用カメラ、写真用カメラ等の撮像装置には、小型軽量で、広画角かつ高変倍比で高い光学性能を有したズームレンズが要望されている。特に、プロフェッショナルの動画撮影システムとしてのテレビ・映画用カメラに用いられているＣＣＤやＣＭＯＳ等の撮像デバイスは、撮像範囲全体が略均一の解像力を有している。そのため、これを用いるズームレンズに対しては、画面中心から画面周辺まで解像力が略均一であることが要求されている。また、機動性や操作性を重視した撮影形態に対して小型軽量化も要求されている。
【０００３】
一方、広角端の焦点距離の短い広角レンズを用いると、広大な範囲を撮影することができ、遠近感の強調が可能となる。その撮影効果を利用したいユーザーからは、より広角で高変倍比、小型軽量、高性能の広角ズームレンズの要望が高い。
【０００４】
広角ズームレンズとして、最も物体側に負の屈折力のレンズ群を配置し、全体として４つ以上のレンズ群により構成されるネガティブリード型のズームレンズが知られている。例えば、特許文献１では、変倍比１．２程度、広角端の画角１００°〜１１０°程度であり、物体側から順に、負の第１レンズ群、正の第２レンズ群、正の第３レンズ群、後群を有したズームレンズが開示されている。第１レンズ群は変倍時に固定、少なくとも第２レンズ群、第３レンズ群が変倍時に移動する構成となっている。また、特許文献２では、変倍比１．２程度、広角端の画角５０°程度であり、物体側から順に、負の第１レンズ群、正の第２レンズ群、正の第３レンズ群、負の第４レンズ群、正の第５レンズ群から構成されるズームレンズが開示されている。
【先行技術文献】
【特許文献】
【０００５】
【特許文献１】特開２００８−３０４７６５号公報
【特許文献２】特開２００４−１３３３３８号公報
【発明の概要】
【発明が解決しようとする課題】
【０００６】
しかしながら、特許文献１、２に開示されているズームレンズでは、各レンズ群の屈折力やレンズ構成が更なる広角化と高倍率化の両立に対して不利であり、広角化に伴うレンズ径の大型化や高倍率化に伴う全長の増大を抑制させることが困難となる。特に、広角端の画角が７０度を超え、変倍比が２倍を超えてくると、レンズ径の大型化と変倍群の移動量の増加の傾向が顕著となる。
【０００７】
そこで、本発明は、各レンズ群の屈折力やレンズ構成、そして収差分担等を適切に設定することにより、広画角、高変倍比、小型軽量で全ズーム範囲に渡り高い光学性能を有するズームレンズの提供を目的とする。具体的には、広角端の画角７０〜１２０度程度、変倍比２〜５程度の小型軽量で、高性能なズームレンズの提供を目的とする。
【課題を解決するための手段】
【０００８】
上記目的を達成するために、本発明のズームレンズ及びそれを有する撮像装置は、
物体側から像側へ順に、負の屈折力の第１レンズ群、正の屈折力の第２レンズ群、正の屈折力の第３レンズ群、負の屈折力の第４レンズ群、正の屈折力の第５レンズ群を有し、
前記第１レンズ群は変倍時に固定、少なくとも前記第２レンズ群、第３レンズ群、第４レンズ群は変倍時に移動し、
前記第１レンズ群は、１枚以上の正レンズを含み、
前記第１レンズ群、第２レンズ群、第３レンズ群の焦点距離を各々ｆ１、ｆ２、ｆ３、広角端から望遠端への変倍に際して、第２レンズ群と第４レンズ群の移動量を各々ｍ２、ｍ４としたとき、以下の式を満たすことを特徴とするズームレンズ。
−１．０＜ｆ１×（ｆ２＋ｆ３）／（ｆ２×ｆ３）＜−０．３
−０．９＜ｍ４／ｍ２＜−０．３
を満たすことを特徴とする。
【発明の効果】
【０００９】
本発明によれば、各レンズ群の屈折力やレンズ構成、そして収差分担等を適切に設定することにより、広画角、高変倍比、小型軽量で全ズーム範囲に渡り高い光学性能を有するズームレンズが得られる。
【図面の簡単な説明】
【００１０】
【図１】数値実施例１の広角端において無限遠合焦時のレンズ断面図
【図２】数値実施例１の広角端（ａ）、ズーム中間（ｂ）、望遠端（ｃ）で無限遠合焦時の収差図
【図３】数値実施例２の広角端において無限遠合焦時のレンズ断面図
【図４】数値実施例２の広角端（ａ）、ズーム中間（ｂ）、望遠端（ｃ）で無限遠合焦時の収差図
【図５】数値実施例３の広角端において無限遠合焦時のレンズ断面図
【図６】数値実施例３の広角端（ａ）、ズーム中間（ｂ）、望遠端（ｃ）で無限遠合焦時の収差図
【図７】数値実施例４の広角端において無限遠合焦時のレンズ断面図
【図８】数値実施例４の広角端（ａ）、ズーム中間（ｂ）、望遠端（ｃ）で無限遠合焦時の収差図
【図９】数値実施例５の広角端において無限遠合焦時のレンズ断面図
【図１０】数値実施例５の広角端（ａ）、ズーム中間（ｂ）、望遠端（ｃ）で無限遠合焦時の収差図
【図１１】数値実施例６の広角端において無限遠合焦時のレンズ断面図
【図１２】数値実施例６の広角端（ａ）、ズーム中間（ｂ）、望遠端（ｃ）で無限遠合焦時の収差図
【図１３】数値実施例７の広角端において無限遠合焦時のレンズ断面図
【図１４】数値実施例７の広角端（ａ）、ズーム中間（ｂ）、望遠端（ｃ）で無限遠合焦時の収差図
【図１５】数値実施例８の広角端において無限遠合焦時のレンズ断面図
【図１６】数値実施例８の広角端（ａ）、ズーム中間（ｂ）、望遠端（ｃ）で無限遠合焦時の収差図
【図１７】数値実施例１のズームレンズの広角端（ａ）、ズーム中間（ｂ）、望遠端（ｃ）における光路図
【図１８】本発明の撮像装置の要部概略図
【発明を実施するための形態】
【００１１】
以下に、本発明の好ましい実施の形態を、添付の図面に基づいて詳細に説明する。まず、本発明のズームレンズの特徴について、各条件式に沿って説明する。本発明のズームレンズは、広画角、高変倍比、小型軽量で全ズーム範囲に渡り高い光学性能を達成するために、第１レンズ群、第２レンズ群、第３レンズ群の焦点距離の比、変倍に際する第２レンズ群、第４レンズ群の移動量を規定することを特徴とする。
【００１２】
本発明のズームレンズは、本発明のズームレンズ及びそれを有する撮像装置は、物体側から像側へ順に、負の屈折力の第１レンズ群、正の屈折力の第２レンズ群、正の屈折力の第３レンズ群、負の屈折力の第４レンズ群、正の屈折力の第５レンズ群を有し、
前記第１レンズ群は変倍時に固定、少なくとも前記第２レンズ群、第３レンズ群、第４レンズ群は変倍時に移動し、前記第１レンズ群は、１枚以上の正レンズを含み、
前記第１レンズ群、第２レンズ群、第３レンズ群の焦点距離をｆ１、ｆ２、ｆ３、広角端から望遠端への変倍に際して、第２レンズ群と第４レンズ群の移動量をｍ２、ｍ４としたとき、
−１．０＜ｆ１×（ｆ２＋ｆ３）／（ｆ２×ｆ３）＜−０．３       ・・・（１）
−０．９＜ｍ４／ｍ２＜−０．３     ・・・（２）
を満たしている。
【００１３】
本発明において、変倍時に固定の負の屈折力の第１レンズ群、変倍時に移動する正の屈折力の第２レンズ群及び正の第３レンズ群を有する構成とすることによる光学的作用に関して説明する。
【００１４】
図１７は、本発明の実施例１の広角端（ａ）、ズーム中間（ｂ）、望遠端（ｃ）における光路図を示している。Ｕ１〜Ｕ５は、それぞれ第１レンズ群〜第５レンズ群を表している。図１７からわかるように、本発明の実施例は、広角端では第１レンズ群に対して第２レンズ群と第３レンズ群は離れており、望遠端で第１レンズ群に対して第２レンズ群と第３レンズ群が近づく軌跡となっている。広角端において、負の屈折力の第１レンズ群と正の屈折力の第２レンズ群及び第３レンズ群が離れて配置されるため、広角端における第２レンズ群と第３レンズ群の横倍率の積の絶対値を小さくすることでき、且つ入射瞳位置を物体側に配置することができる。そのため、広角化と小型軽量の両立に有利な構成となっている。
【００１５】
また、本発明では、正の屈折力の第２レンズ群、正の屈折力の第３レンズ群、負の屈折力の第４レンズ群で変倍系を構成している。広角端から望遠端への変倍に際して、第２レンズ群と第３レンズ群が物体側に移動し、第１レンズ群の像点に近づくことで増倍している。さらに、広角端から望遠端の変倍に際して、第４レンズ群が像側に移動し、第３レンズ群の像点に近づくことで、変倍による像面移動を補正しつつ増倍作用が発生するため、高変倍比化を効率的に達成することが可能となる。
【００１６】
また、第１レンズ群は１枚以上の正レンズを含むことを特徴としている。第１レンズ群は負の屈折力を有しているが、第１レンズ群で発生する色収差を抑制するために、少なくとも１枚の正レンズが必要となる。
【００１７】
さらに、前述の（１）〜（２）式を満たすことで、広画角、小型軽量で全ズーム範囲に渡り高い光学性能を効果的に達成することが可能となる。（１）式は、第１レンズ群の焦点距離、第２レンズ群および第３レンズ群の焦点距離の比を規定している。（１）式の（ｆ２＋ｆ３）／（ｆ２×ｆ３）は、第２レンズ群と第３レンズ群の合成焦点距離に相当する数値である。
【００１８】
（１）式を満たすことで、ズームレンズの広角化と収差変動の補正の両立を達成している。ズームレンズの焦点距離は、第１レンズ群の焦点距離に第２レンズ群から第５レンズ群までの横倍率を掛け合わせた値となるため、広角化を達成するためには、第１レンズ群の焦点距離を適切に設定する必要がある。（１）式の上限の条件が満たされないと、第１レンズ群の屈折力が強くなり、変倍に伴う収差変動や合焦に伴う収差変動の補正が困難となる。（１）式の下限の条件が満たされないと、第１レンズ群の屈折力が不足するため、広角化と小型軽量化の両立が困難となる。更に好ましくは、（１）式は次の如く設定するのが良い。
−０．９＜ｆ１×（ｆ２＋ｆ３）／（ｆ２×ｆ３）＜−０．４       ・・・（１ａ）
また、（２）式は、広角端から望遠端への変倍における第２レンズ群の移動量と第４レンズ群の移動量の比を規定している。（２）式を満たすことで、小型軽量化と高い光学性能の両立が可能となる。ここで、図１７（ａ）、（ｂ）、（ｃ）の光路図において軸上マージナル光線に着目すると、第２レンズ群の広角端から望遠端への光線高の変動は、第４レンズ群の変動に比べて大きい。そのため、収差を良好に補正する観点では、変倍における第２レンズ群の移動量を小さくすることが望ましい。
【００１９】
一方、前述したように、広角化と小型軽量化の両立を達成するために、広角端において第１レンズ群に対して第２レンズ群を離して配置する必要があり、変倍において第２レンズ群の移動量を確保する必要がある。（２）式の上限が満たされないと、変倍における第２レンズ群の移動量が大きくなり、上記の理由からズーム全域で良好な光学性能を達成することが困難となる。（２）式の下限の条件が満たされないと、変倍における第２レンズ群の移動量が小さくなり、広角端において、第１レンズ群と第２レンズ群が近づいて配置されるため、広角化と小型軽量の両立が困難となる。更に好ましくは、（２）式は次の如く設定するのが良い。
−０．７５＜ｍ４／ｍ２＜−０．３５    ・・・（２ａ）
【００２０】
更なる本発明のズームレンズの態様として、第２レンズ群と第３レンズ群の横倍率および広角端と望遠端の焦点距離の比を規定している。無限遠より光束が入射する際の広角端と望遠端における第２レンズ群の横倍率をβ２ｗ、β２ｔ、第３レンズ群の横倍率をβ３ｗ、β３ｔ、広角端と望遠端の焦点距離をｆｗ、ｆｔとしたとき、
０．５＜（ｆｗ×β２ｔ×β３ｔ）／（ｆｔ×β２ｗ×β３ｗ）＜１．０  ・・・（３）
を満たしている。
【００２１】
（３）式を満たすことで、第２レンズ群と第３レンズ群が変倍に一定以上寄与する構成となり、広角化と高い光学性の両立に有利な構成となる。（３）式の上限が満たされないと、変倍による第２レンズ群と第３レンズ群の移動量が大きくなり、第２レンズ群と第３レンズ群を通る軸上マージナル光線の光線高が、広角端から望遠端への変倍で大きく変化する。そのため、変倍による球面収差や像面湾曲の変動を抑制することが困難となる。（３）式の下限が満たされないと、広角端において第１レンズ群と第２レンズ群及び第３レンズ群の間隔が短くなり、第２レンズ群及び第３レンズ群の横倍率を小さくすることが難しくなるため、広角化が困難となる。更に好ましくは、（３）式は次の如く設定するのが良い。
０．６０＜（ｆｗ×β２ｔ×β３ｔ）／（ｆｔ×β２ｗ×β３ｗ）＜０．８５
・・・（３ａ）
【００２２】
更なる本発明のズームレンズの態様として、第１レンズ群と第４レンズ群の焦点距離の比を規定している。第１レンズ群、第４レンズ群の焦点距離をｆ１、ｆ４としたとき、
０．４＜ｆ１／ｆ４＜１．２       ・・・（４）
を満たしている。（４）式を満たすことで、小型軽量化と高い光学性能の両立を達成している。
【００２３】
（４）式の上限が満たされないと、第４レンズ群の屈折力が相対的に強くなるため、変倍による球面収差やコマ収差の変動を抑制することが困難となる。（４）式の下限が満たされないと、第４レンズ群の屈折力が相対的に弱くなるため、変倍における第４レンズ群の移動量が大きくなるため、小型軽量化が困難となる。更に好ましくは、（４）式は次の如く設定するのが良い。
０．４５＜ｆ１／ｆ４＜１．１５   ・・・（４ａ）
【００２４】
更なる本発明のズームレンズの態様として、第２レンズ群と第３レンズ群の焦点距離の比を規定している。第２レンズ群、第３レンズ群の焦点距離をｆ２、ｆ３としたとき、
０．４＜ｆ２／ｆ３＜２．０       ・・・（５）
を満たしている。（５）式を満たすことで、変倍による球面収差やコマ収差、像面湾曲の変動を良好に補正することができる。
【００２５】
（５）式の上限が満たされないと、第２レンズ群の屈折力が相対的に弱くなり、第３レンズ群に入射する光線高が高くなることで、変倍による球面収差の変動を抑制することが困難となる。（５）式の下限が満たされないと、第３レンズ群の屈折力が相対的に弱くなり、第２レンズ群との間隔を変化させることによる球面収差や像面湾曲の変動を補正する効果が小さくなるため、変倍による収差変動を抑制することが困難となる。更に好ましくは、（５）式は次の如く設定するのが良い。
【００２６】
０．５＜ｆ２／ｆ３＜１．７       ・・・（５ａ）
更なる本発明のズームレンズの態様として、第２レンズ群と第３レンズの広角端及びズーム中間における空気間隔の比を規定している。第２レンズ群と第３レンズ群の広角端における空気間隔をＬ２３ｗ、ズーム比をＺ、広角端からのズーム比がＺ０．５における第２レンズ群と第３レンズ群の空気間隔をＬ２３ｗｍとしたとき、
２．０＜Ｌ２３ｗｍ／Ｌ２３w＜１５．０     ・・・（６）
を満たしている。
【００２７】
（６）式を満たすことで、ズーム中間の球面収差を良好に補正している。ズーム中間において、第２レンズ群に対して第３レンズ群を離して配置させることで、第２レンズ群と第３レンズ群を一体で移動させた場合と比べて、第３レンズ群を通る軸上マージナル光線の光線高を低くすることが可能となる。これにより、広角端からズーム中間で球面収差がマイナス側に変化する特性を補正することが可能となる。（６）式の上限が満たされないと、ズーム中間において、第２レンズ群に対して第３レンズ群の空気間隔が大きくなり過ぎるため、ズーム中間の球面収差の補正が過剰となる。（６）式の下限が満たされないと、ズーム中間において、第２レンズ群に対して第３レンズ群が十分離れていないため、ズーム中間の球面収差の補正が不十分となる。更に好ましくは、（６）式は次の如く設定するのが良い。
４．０＜Ｌ２３ｗｍ／Ｌ２３w＜１３．０     ・・・（６ａ）
【００２８】
更なる本発明のズームレンズの態様として、第１レンズ群は、フォーカシングの際に移動するレンズ群を含むことを特徴とする。第１レンズ群の一部でフォーカシングを行う構成とすることで、変倍に依らず、フォーカシングの繰り出し量を一定とすることができ、駆動機構の簡略化や、フォーカスレンズ群の小型化に有利な構成となる。
【００２９】
さらに、本発明の撮像装置は、各実施例のズームレンズとズームレンズによって形成された像を受光する所定の有効撮像範囲を有する固体撮像素子を有することを特徴とする。
【００３０】
以下に本発明のズームレンズの具体的な構成について、実施例１〜８に対応する数値実施例１〜８のレンズ構成の特徴により説明する。
【００３１】
［実施例１］
図１は本発明の実施例１（数値実施例１）であるズームレンズにおいて、広角端で無限遠に合焦しているときのレンズ断面図である。図２において、（ａ）は数値実施例１の広角端、（ｂ）は数値実施例１の焦点距離２２．１４ｍｍ（Ｚ０．５に対応）、（ｃ）は数値実施例１の望遠端の縦収差図を示している。いずれの収差図も、無限遠に合焦しているときの縦収差図である。また、焦点距離の値は、後述する数値実施例をｍｍ単位で表したときの値である。これは以下の数値実施例においても、全て同じである。
【００３２】
図１において、物体側から順に、合焦用の負の屈折力の第１レンズ群Ｕ１を有している。さらに、広角端から望遠端への変倍に際して、物体側へ移動する変倍用の正の屈折力の第２レンズ群Ｕ２、物体側へ移動する正の屈折力の第３レンズ群Ｕ３を有している。さらに、第２レンズ群Ｕ２、第３レンズ群Ｕ３の移動に連動して光軸上を非直線的に移動し、変倍に伴う像面変動を補正する負の屈折力の第４レンズ群Ｕ４を有している。さらに、変倍のためには移動しない結像作用をする正の屈折力の第５レンズ群Ｕ５を有している。
【００３３】
本実施例では、第２レンズ群Ｕ２、第３レンズ群Ｕ３、第４レンズ群Ｕ４で変倍系を構成している。ＳＰは開口絞りであり、第４レンズ群Ｕ４と第５レンズ群Ｕ５の間に配置されている。また、開口絞りは変倍に際して光軸方向に不動である。Ｉは像面であり、放送用テレビカメラ、ビデオカメラ、デジタルスチルカメラの撮像光学系として使用する際には、ズームレンズで形成された像を受光し、光電変換する固体撮像素子（光電変換素子）等の撮像面に相当している。フィルム用カメラの撮像光学系として使用する際には、ズームレンズで形成された像が感光するフィルム面に相当する。
【００３４】
縦収差図において、球面収差における直線と二点鎖線は各々ｅ線、ｇ線である。非点収差における点線と実線は各々メリディオナル像面、サジタル像面であり、倍率色収差における二点鎖線はｇ線である。ωは半画角、ＦｎｏはＦナンバーである。縦収差図では、球面収差は０．４ｍｍ、非点収差は０．４ｍｍ、歪曲は１０％、倍率色収差は０．１ｍｍのスケールで描かれている。なお、以下の各実施例において広角端と望遠端は、変倍用の第２レンズ群Ｕ２が機構に対して光軸上を移動可能な範囲の両端に位置したときのズーム位置を指す。
【００３５】
次に、本実施例における第１レンズ群Ｕ１について説明する。第１レンズ群Ｕ１は第１面から第１２面に対応する。第１レンズ群Ｕ１は、合焦時に移動しない負の屈折力の第１１レンズ群Ｕ１１、無限遠側から至近側への合焦時に像側へ移動する正の屈折力の第１２レンズ群Ｕ１２から構成される。第２レンズ群Ｕ２は、第１３面から第１７面に、第３レンズ群Ｕ３は、第１８面から第１９面に、第４レンズ群Ｕ４は、第２０面から第２４面に対応している。第５レンズ群Ｕ５は、第２６面から第３６面に対応する。第１レンズ群Ｕ１は、凸レンズと凹レンズを含み、全体として６個のレンズから成っている。第２レンズ群Ｕ２は、凸レンズと凹レンズを含み全体として３個のレンズ、第３レンズ群Ｕ３は、１個の凸レンズ、第４レンズ群Ｕ４は、凸レンズと凹レンズを含み全体として３個のレンズから成っている。また、第５レンズ群Ｕ５は、凸レンズと凹レンズを含み全体として７個のレンズから成っている。
【００３６】
上記実施例１に対応する数値実施例１について説明する。数値実施例１に限らず全数値実施例において、ｉは物体側からの面（光学面）の順序を示し、ｒｉは物体側より第ｉ番目の面の曲率半径、ｄｉは物体側より第ｉ番目の面と第ｉ＋１番目の面の間隔（光軸上）を示している。また、ｎｄｉ、νｄｉ、θｇＦｉは、第ｉ番目の面と第ｉ＋１番目の面との間の媒質（光学部材）の屈折率、アッベ数、部分分散比を、ＢＦは空気換算のバックフォーカスを表している。非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２をそれぞれ非球面係数としたとき、次式で表している。また、「ｅ−Ｚ」は「×１０−Ｚ」を意味する。
【００３７】
【数１】
2019003073.tif 000003
【００３８】
本実施例の各条件式対応値を表１に示す。本実施例は（１）〜（６）式を満足しており、広角端における撮影画角（画角）９６．０°、変倍比２．５と広角化且つ高倍率の両立を達成している。且つズーム全域において諸収差を良好に補正した高い光学性能と小型軽量化を両立したズームレンズを達成している。
【００３９】
しかしながら、本発明のズームレンズは、（１）、（２）式を満足することは必須であるが、（３）〜（６）式については満足していなくても構わない。但し、（３）〜（６）式について少なくとも１つでも満足していれば更に良い効果を奏することができる。これは他の実施例についても同様である。
【００４０】
図１８は各実施例のズームレンズを撮影光学系として用いた撮像装置（テレビカメラシステム）の概略図である。図１８において１０１は実施例１〜８のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、変倍部ＬＺ、結像用の第４レンズ群Ｒを有している。第１レンズ群Ｆは合焦用レンズ群が含まれている。変倍部ＬＺはズーミングのために光軸上を移動する第２レンズ群と、ズーミングに伴う像面変動を補正するために光軸上を移動する第３レンズ群が含まれている。
【００４１】
ＳＰは開口絞りである。１１４、１１５は各々第１レンズ群Ｆ、変倍部ＬＺを光軸方向に駆動するヘリコイドやカム等の駆動機構である。１１６〜１１８は駆動機構１１４、１１５および開口絞りＳＰを電動駆動するモータ（駆動手段）である。１１９〜１２１は、第１レンズ群Ｆや変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。
【００４２】
このように、本発明のズームレンズをテレビカメラに適用することにより、高い光学性能を有する撮像装置を実現している。
【００４３】
［実施例２］
図３は本発明の実施例２（数値実施例２）であるズームレンズにおいて、広角端で無限遠に合焦しているときのレンズ断面図である。図４において、（ａ）は数値実施例２の広角端、（ｂ）は数値実施例２の焦点距離１４．０７ｍｍ（Ｚ０．５に対応）、（ｃ）は数値実施例２の望遠端の縦収差図を示している。いずれの収差図も、無限遠に合焦しているときの縦収差図である。
【００４４】
図３において、物体側から順に、合焦用の負の屈折力の第１レンズ群Ｕ１を有している。さらに、広角端から望遠端への変倍に際して、物体側へ移動する変倍用の正の屈折力の第２レンズ群Ｕ２、物体側へ移動する正の屈折力の第３レンズ群Ｕ３を有している。さらに、第２レンズ群Ｕ２、第３レンズ群Ｕ３の移動に連動して光軸上を非直線的に移動し、変倍に伴う像面変動を補正する負の屈折力の第４レンズ群Ｕ４を有している。さらに、変倍のためには移動しない結像作用をする正の屈折力の第５レンズ群Ｕ５を有している。
【００４５】
本実施例では、第２レンズ群Ｕ２、第３レンズ群Ｕ３、第４レンズ群Ｕ４で変倍系を構成している。ＳＰは開口絞りであり、第４レンズ群Ｕ４と第５レンズ群Ｕ５の間に配置されている。また、開口絞りは変倍に際して光軸方向に不動である。
【００４６】
次に、本実施例における第１レンズ群Ｕ１について説明する。第１レンズ群Ｕ１は第１面から第１３面に対応する。第１レンズ群Ｕ１は、合焦時に移動しない負の屈折力の第１１レンズ群Ｕ１１、無限遠側から至近側への合焦時に像側へ移動する正の屈折力の第１２レンズ群Ｕ１２から構成される。第２レンズ群Ｕ２は、第１４面から第１８面に、第３レンズ群Ｕ３は、第１９面から第２０面に、第４レンズ群Ｕ４は、第２１面から第２５面に対応している。第５レンズ群Ｕ５は、第２７面から第３９面に対応する。第１レンズ群Ｕ１は、凸レンズと凹レンズを含み、全体として７個のレンズから成っている。
【００４７】
第２レンズ群Ｕ２は、凸レンズと凹レンズを含み全体として３個のレンズ、第３レンズ群Ｕ３は、１個の凸レンズ、第４レンズ群Ｕ４は、凸レンズと凹レンズを含み全体として３個のレンズから成っている。また、第５レンズ群Ｕ５は、凸レンズと凹レンズを含み全体として８個のレンズから成っている。
【００４８】
本実施例の各条件式対応値を表１に示す。本実施例は（１）〜（６）式を満足しており、広角端における撮影画角（画角）１２０．０°、変倍比２．４４と広角化且つ高倍率の両立を達成している。且つズーム全域において諸収差を良好に補正した高い光学性能と小型軽量化を両立したズームレンズを達成している。
【００４９】
［実施例３］
図５は本発明の実施例３（数値実施例３）であるズームレンズにおいて、広角端で無限遠に合焦しているときのレンズ断面図である。図６において、（ａ）は数値実施例３の広角端、（ｂ）は数値実施例３の焦点距離１９．１７ｍｍ（Ｚ０．５に対応）、（ｃ）は数値実施例３の望遠端の縦収差図を示している。いずれの収差図も、無限遠に合焦しているときの縦収差図である。
【００５０】
図５において、物体側から順に、合焦用の負の屈折力の第１レンズ群Ｕ１を有している。さらに、広角端から望遠端への変倍に際して、物体側へ移動する変倍用の正の屈折力の第２レンズ群Ｕ２、物体側へ移動する正の屈折力の第３レンズ群Ｕ３を有している。さらに、第２レンズ群Ｕ２、第３レンズ群Ｕ３の移動に連動して光軸上を非直線的に移動し、変倍に伴う像面変動を補正する負の屈折力の第４レンズ群Ｕ４を有している。さらに、変倍のためには移動しない結像作用をする正の屈折力の第５レンズ群Ｕ５を有している。
【００５１】
本実施例では、第２レンズ群Ｕ２、第３レンズ群Ｕ３、第４レンズ群Ｕ４で変倍系を構成している。ＳＰは開口絞りであり、第４レンズ群Ｕ４の物体側に配置され、変倍に際して第４レンズ群と共に移動する。また、開口絞りは、変倍に応じて開口径を変更することで、所定のFナンバーを保つことが可能となる。
【００５２】
次に、本実施例における第１レンズ群Ｕ１について説明する。第１レンズ群Ｕ１は第１面から第１１面に対応する。第１レンズ群Ｕ１は、合焦時に移動しない負の屈折力の第１１レンズ群Ｕ１１、無限遠側から至近側への合焦時に像側へ移動する正の屈折力の第１２レンズ群Ｕ１２から構成される。第２レンズ群Ｕ２は、第１２面から第１６面に、第３レンズ群Ｕ３は、第１７面から第１８面に、第４レンズ群Ｕ４は、第１９面から第２４面に対応している。第５レンズ群Ｕ５は、第２５面から第３７面に対応する。第１レンズ群Ｕ１は、凸レンズと凹レンズを含み、全体として６個のレンズから成っている。
【００５３】
第２レンズ群Ｕ２は、凸レンズと凹レンズを含み全体として３個のレンズ、第３レンズ群Ｕ３は、１個の凸レンズ、第４レンズ群Ｕ４は、凸レンズと凹レンズを含み全体として３個のレンズから成っている。また、第５レンズ群Ｕ５は、凸レンズと凹レンズを含み全体として８個のレンズから成っている。
【００５４】
本実施例の各条件式対応値を表１に示す。本実施例は（１）〜（６）式を満足しており、広角端における撮影画角（画角）１２０．０°、変倍比２．４４と広角化且つ高倍率の両立を達成している。且つズーム全域において諸収差を良好に補正した高い光学性能と小型軽量化を両立したズームレンズを達成している。
【００５５】
［実施例４］
図７は本発明の実施例４（数値実施例４）であるズームレンズにおいて、広角端で無限遠に合焦しているときのレンズ断面図である。図８において、（ａ）は数値実施例４の広角端、（ｂ）は数値実施例４の焦点距離１９．１７ｍｍ（Ｚ０．５に対応）、（ｃ）は数値実施例２の望遠端の縦収差図を示している。いずれの収差図も、無限遠に合焦しているときの縦収差図である。
【００５６】
図７において、物体側から順に、合焦用の負の屈折力の第１レンズ群Ｕ１を有している。さらに、広角端から望遠端への変倍に際して、物体側へ移動する変倍用の正の屈折力の第２レンズ群Ｕ２、物体側へ移動する正の屈折力の第３レンズ群Ｕ３を有している。さらに、第２レンズ群Ｕ２、第３レンズ群Ｕ３の移動に連動して光軸上を非直線的に移動し、変倍に伴う像面変動を補正する負の屈折力の第４レンズ群Ｕ４を有している。さらに、変倍のためには移動しない結像作用をする正の屈折力の第５レンズ群Ｕ５を有している。
【００５７】
本実施例では、第２レンズ群Ｕ２、第３レンズ群Ｕ３、第４レンズ群Ｕ４で変倍系を構成している。ＳＰは開口絞りであり、第４レンズ群Ｕ４と第５レンズ群Ｕ５の間に配置されている。また、開口絞りは変倍に際して光軸方向に不動である。
【００５８】
次に、本実施例における第１レンズ群Ｕ１について説明する。第１レンズ群Ｕ１は第１面から第１１面に対応する。第１レンズ群Ｕ１は、合焦時に移動しない負の屈折力の第１１レンズ群Ｕ１１、無限遠側から至近側への合焦時に像側へ移動する正の屈折力の第１２レンズ群Ｕ１２から構成される。第２レンズ群Ｕ２は、第１２面から第１６面に、第３レンズ群Ｕ３は、第１７面から第１８面に、第４レンズ群Ｕ４は、第１９面から第２３面に対応している。第５レンズ群Ｕ５は、第２５面から第３５面に対応する。第１レンズ群Ｕ１は、凸レンズと凹レンズを含み、全体として６個のレンズから成っている。
【００５９】
第２レンズ群Ｕ２は、凸レンズと凹レンズを含み全体として３個のレンズ、第３レンズ群Ｕ３は、１個の凸レンズ、第４レンズ群Ｕ４は、凸レンズと凹レンズを含み全体として３個のレンズから成っている。また、第５レンズ群Ｕ５は、凸レンズと凹レンズを含み全体として７個のレンズから成っている。
【００６０】
本実施例の各条件式対応値を表１に示す。本実施例は（１）〜（６）式を満足しており、広角端における撮影画角（画角）１１１．９°、変倍比３．３３と広角化且つ高倍率の両立を達成している。且つズーム全域において諸収差を良好に補正した高い光学性能と小型軽量化を両立したズームレンズを達成している。
【００６１】
［実施例５］
図９は本発明の実施例５（数値実施例５）であるズームレンズにおいて、広角端で無限遠に合焦しているときのレンズ断面図である。図１０において、（ａ）は数値実施例５の広角端、（ｂ）は数値実施例５の焦点距離２７．７１ｍｍ（Ｚ０．５に対応）、（ｃ）は数値実施例５の望遠端の縦収差図を示している。いずれの収差図も、無限遠に合焦しているときの縦収差図である。
【００６２】
図９において、物体側から順に、合焦用の負の屈折力の第１レンズ群Ｕ１を有している。さらに、広角端から望遠端への変倍に際して、物体側へ移動する変倍用の正の屈折力の第２レンズ群Ｕ２、物体側へ移動する正の屈折力の第３レンズ群Ｕ３、像側へ移動する負の屈折力の第４レンズ群Ｕ４を有している。
【００６３】
さらに、第２レンズ群Ｕ２、第３レンズ群Ｕ３、第４レンズ群Ｕ４の移動に連動して光軸上を非直線的に移動し、変倍に伴う像面変動を補正する正の屈折力の第５レンズ群Ｕ５を有している。本実施例では、第２レンズ群Ｕ２、第３レンズ群Ｕ３、第４レンズ群Ｕ４、第５レンズ群Ｕ５で変倍系を構成している。ＳＰは開口絞りであり、第５レンズ群Ｕ５の物体側に配置され、変倍に際して第５レンズ群と共に移動する。また、開口絞りは、変倍に応じて開口径を変更することで、所定のFナンバーを保つことが可能となる。
【００６４】
次に、本実施例における第１レンズ群Ｕ１について説明する。第１レンズ群Ｕ１は第１面から第１０面に対応する。第１レンズ群Ｕ１は、合焦時に移動しない負の屈折力の第１１レンズ群Ｕ１１、無限遠側から至近側への合焦時に像側へ移動する正の屈折力の第１２レンズ群Ｕ１２から構成される。第２レンズ群Ｕ２は、第１１面から第１５面に、第３レンズ群Ｕ３は、第１６面から第１７面に、第４レンズ群Ｕ４は、第１８面から第２２面に対応している。
【００６５】
第５レンズ群Ｕ５は、第２３面から第３４面に対応する。第１レンズ群Ｕ１は、凸レンズと凹レンズを含み、全体として５個のレンズから成っている。第２レンズ群Ｕ２は、凸レンズと凹レンズを含み全体として３個のレンズ、第３レンズ群Ｕ３は、１個の凸レンズ、第４レンズ群Ｕ４は、凸レンズと凹レンズを含み全体として３個のレンズから成っている。また、第５レンズ群Ｕ５は、凸レンズと凹レンズを含み全体として７個のレンズから成っている。
【００６６】
本実施例の各条件式対応値を表１に示す。本実施例は（１）〜（６）式を満足しており、広角端における撮影画角（画角）８８．４°、変倍比３．０と広角化且つ高倍率の両立を達成している。且つズーム全域において諸収差を良好に補正した高い光学性能と小型軽量化を両立したズームレンズを達成している。
【００６７】
［実施例６］
図１１は本発明の実施例６（数値実施例６）であるズームレンズにおいて、広角端で無限遠に合焦しているときのレンズ断面図である。図１２において、（ａ）は数値実施例６の広角端、（ｂ）は数値実施例６の焦点距離３９．１２ｍｍ（Ｚ０．５に対応）、（ｃ）は数値実施例６の望遠端の縦収差図を示している。いずれの収差図も、無限遠に合焦しているときの縦収差図である。
【００６８】
合焦用の負の屈折力の第１レンズ群Ｕ１を有している。さらに、広角端から望遠端への変倍に際して、物体側へ移動する変倍用の正の屈折力の第２レンズ群Ｕ２、物体側へ移動する正の屈折力の第３レンズ群Ｕ３を有している。さらに、第２レンズ群Ｕ２、第３レンズ群Ｕ３の移動に連動して光軸上を非直線的に移動し、変倍に伴う像面変動を補正する負の屈折力の第４レンズ群Ｕ４を有している。さらに、変倍のためには移動しない結像作用をする正の屈折力の第５レンズ群Ｕ５を有している。
【００６９】
本実施例では、第２レンズ群Ｕ２、第３レンズ群Ｕ３、第４レンズ群Ｕ４で変倍系を構成している。ＳＰは開口絞りであり、第３レンズ群Ｕ３と第４レンズ群Ｕ４の間に配置されている。また、開口絞りは変倍に際して光軸方向に不動であり、変倍に応じて開口径を変更することで、所定のFナンバーを保つことが可能となる。
【００７０】
次に、本実施例における第１レンズ群Ｕ１について説明する。第１レンズ群Ｕ１は第１面から第１０面に対応する。第１レンズ群Ｕ１は、合焦時に移動しない負の屈折力の第１１レンズ群Ｕ１１、無限遠側から至近側への合焦時に像側へ移動する正の屈折力の第１２レンズ群Ｕ１２から構成される。第２レンズ群Ｕ２は、第１１面から第１３面に、第３レンズ群Ｕ３は、第１４面から第１５面に、第４レンズ群Ｕ４は、第１７面から第２１面に対応している。第５レンズ群Ｕ５は、第２２面から第３２面に対応する。第１レンズ群Ｕ１は、凸レンズと凹レンズを含み、全体として５個のレンズから成っている。
【００７１】
第２レンズ群Ｕ２は、凸レンズと凹レンズを含み全体として２個のレンズ、第３レンズ群Ｕ３は、１個の凸レンズ、第４レンズ群Ｕ４は、凸レンズと凹レンズを含み全体として３個のレンズから成っている。また、第５レンズ群Ｕ５は、凸レンズと凹レンズを含み全体として７個のレンズから成っている。
【００７２】
本実施例の各条件式対応値を表１に示す。本実施例は（１）〜（６）式を満足しており、広角端における撮影画角（画角）８１．６°、変倍比４．７２と広角化且つ高倍率の両立を達成している。且つズーム全域において諸収差を良好に補正した高い光学性能と小型軽量化を両立したズームレンズを達成している。
【００７３】
［実施例７］
図１３は本発明の実施例７（数値実施例７）であるズームレンズにおいて、広角端で無限遠に合焦しているときのレンズ断面図である。図１４において、（ａ）は数値実施例７の広角端、（ｂ）は数値実施例７の焦点距離３９．１２ｍｍ（Ｚ０．５に対応）、（ｃ）は数値実施例７の望遠端の縦収差図を示している。いずれの収差図も、無限遠に合焦しているときの縦収差図である。
【００７４】
図１３において、物体側から順に、合焦用の負の屈折力の第１レンズ群Ｕ１を有している。さらに、広角端から望遠端への変倍に際して、物体側へ移動する変倍用の正の屈折力の第２レンズ群Ｕ２、物体側へ移動する正の屈折力の第３レンズ群Ｕ３を有している。さらに、第２レンズ群Ｕ２、第３レンズ群Ｕ３の移動に連動して光軸上を非直線的に移動し、変倍に伴う像面変動を補正する負の屈折力の第４レンズ群Ｕ４を有している。さらに、変倍のためには移動しない結像作用をする正の屈折力の第５レンズ群Ｕ５を有している。
【００７５】
本実施例では、第２レンズ群Ｕ２、第３レンズ群Ｕ３、第４レンズ群Ｕ４で変倍系を構成している。ＳＰは開口絞りであり、第４レンズ群Ｕ４の物体側に配置され、変倍に際して第４レンズ群と共に移動する。また、開口絞りは、変倍に応じて開口径を変更することで、所定のFナンバーを保つことが可能となる。
【００７６】
次に、本実施例における第１レンズ群Ｕ１について説明する。第１レンズ群Ｕ１は第１面から第１０面に対応する。第１レンズ群Ｕ１は、合焦時に移動しない負の屈折力の第１１レンズ群Ｕ１１、無限遠側から至近側への合焦時に像側へ移動する正の屈折力の第１２レンズ群Ｕ１２から構成される。第２レンズ群Ｕ２は、第１１面から第１３面に、第３レンズ群Ｕ３は、第１４面から第１８面に、第４レンズ群Ｕ４は、第１９面から第２２面に対応している。第５レンズ群Ｕ５は、第２３面から第３０面に対応する。第１レンズ群Ｕ１は、凸レンズと凹レンズを含み、全体として５個のレンズから成っている。
【００７７】
第２レンズ群Ｕ２は、凸レンズと凹レンズを含み全体として２個のレンズ、第３レンズ群Ｕ３は、凸レンズと凹レンズを含み全体として３個のレンズ、第４レンズ群Ｕ４は、凸レンズと凹レンズを含み全体として２個のレンズから成っている。また、第５レンズ群Ｕ５は、凸レンズと凹レンズを含み全体として５個のレンズから成っている。
【００７８】
本実施例の各条件式対応値を表１に示す。本実施例は（１）〜（６）式を満足しており、広角端における撮影画角（画角）８１．６°、変倍比４．７２と広角化且つ高倍率の両立を達成している。且つズーム全域において諸収差を良好に補正した高い光学性能と小型軽量化を両立したズームレンズを達成している。
【００７９】
［実施例８］
図１５は本発明の実施例８（数値実施例８）であるズームレンズにおいて、広角端で無限遠に合焦しているときのレンズ断面図である。図１６において、（ａ）は数値実施例８の広角端、（ｂ）は数値実施例８の焦点距離１８．９７ｍｍ（Ｚ０．５に対応）、（ｃ）は数値実施例８の望遠端の縦収差図を示している。いずれの収差図も、無限遠に合焦しているときの縦収差図である。
【００８０】
図１５において、物体側から順に、合焦用の負の屈折力の第１レンズ群Ｕ１を有している。さらに、広角端から望遠端への変倍に際して、物体側へ移動する変倍用の正の屈折力の第２レンズ群Ｕ２、物体側へ移動する正の屈折力の第３レンズ群Ｕ３を有している。さらに、第２レンズ群Ｕ２、第３レンズ群Ｕ３の移動に連動して光軸上を非直線的に移動し、変倍に伴う像面変動を補正する負の屈折力の第４レンズ群Ｕ４を有している。さらに、変倍のためには移動しない結像作用をする正の屈折力の第５レンズ群Ｕ５を有している。
【００８１】
本実施例では、第２レンズ群Ｕ２、第３レンズ群Ｕ３、第４レンズ群Ｕ４で変倍系を構成している。ＳＰは開口絞りであり、第４レンズ群Ｕ４と第５レンズ群Ｕ５の間に配置されている。また、開口絞りは変倍に際して光軸方向に不動である。
【００８２】
次に、本実施例における第１レンズ群Ｕ１について説明する。第１レンズ群Ｕ１は第１面から第１４面に対応する。第１レンズ群Ｕ１は、合焦時に移動しない負の屈折力の第１１レンズ群Ｕ１１、無限遠側から至近側への合焦時に物体側へ移動する負の屈折力の第１２レンズ群Ｕ１２、合焦時に移動しない正の屈折力の第１３レンズ群Ｕ１３から構成される。第２レンズ群Ｕ２は、第１５面から第１７面に、第３レンズ群Ｕ３は、第１８面から第２２面に、第４レンズ群Ｕ４は、第２３面から第２６面に対応している。
【００８３】
第５レンズ群Ｕ５は、第２８面から第３８面に対応する。第１レンズ群Ｕ１は、凸レンズと凹レンズを含み、全体として７個のレンズから成っている。第２レンズ群Ｕ２は、凸レンズと凹レンズを含み全体として２個のレンズ、第３レンズ群Ｕ３は、凸レンズと凹レンズを含み全体として３個のレンズ、第４レンズ群Ｕ４は、凸レンズと凹レンズを含み全体として３個のレンズから成っている。また、第５レンズ群Ｕ５は、凸レンズと凹レンズを含み全体として７個のレンズから成っている。
【００８４】
本実施例の各条件式対応値を表１に示す。本実施例は（１）〜（６）式を満足しており、広角端における撮影画角（画角）１０１．９°、変倍比２．５０と広角化且つ高倍率の両立を達成している。且つズーム全域において諸収差を良好に補正した高い光学性能と小型軽量化を両立したズームレンズを達成している。
【００８５】
以上、本発明の好ましい実施形態について説明したが、本発明はこれらの実施形態に限定されず、その要旨の範囲内で種々の変形及び変更が可能である。
【００８６】
＜数値実施例１＞
単位 mm
面データ
面番号       r        d      nd         vd       有効径
1*        75.164    2.70   1.60311    60.6       67.00
2         25.320   18.97                         48.40
3        155.656    1.70   1.59522    67.7       44.88
4         29.128   15.49                         38.77
5        -40.283    1.50   1.59522    67.7       37.62
6       -694.681    0.19                         38.75
7         78.524    2.66   1.72047    34.7       39.58
8        105.930    1.98                         39.45
9         78.871    8.66   1.49700    81.5       39.90
10        -50.530    0.19                         39.77
11        138.615    1.71   1.77250    49.6       36.60
12         51.765  (可変)                         35.04
13         84.809    1.20   1.85478    24.8       34.44
14         41.631    7.31   1.49700    81.5       34.31
15       -158.198    0.99                         34.96
16         79.691    5.30   1.76385    48.5       36.93
17       -277.499  (可変)                         37.05
18        151.627    5.86   1.59522    67.7       36.67
19        -75.658  (可変)                         36.41
20        -56.731    0.90   1.69680    55.5       22.50
21         35.513    3.49   1.85478    24.8       22.11
22        233.045    1.11                         21.81
23        -88.493    0.90   1.77250    49.6       21.77
24         84.780  (可変)                         21.76
25(絞り)    ∞       1.49                         22.07
26         43.376    4.13   1.77250    49.6       22.66
27       -102.761   10.00                         22.41
28        -80.458    3.58   1.80809    22.8       18.30
29        -27.520    1.50   1.90366    31.3       18.62
30        -94.036    0.98                         19.19
31        175.254    1.00   1.88300    40.8       19.59
32         18.443    5.82   1.49700    81.5       19.84
33        -96.013    1.00                         20.92
34         51.136    7.51   1.49700    81.5       22.58
35        -17.878    1.28   1.85478    24.8       23.02
36*       -33.419   42.06                         24.45
像面        ∞   
非球面データ
第1面
K = 0.00000e+000  A 4= 3.13169e-006  A 6= 3.62423e-010  A 8=-4.13256e-013  A10= 4.11411e-016  A12= 8.36082e-020  
第36面
K = 0.00000e+000  A 4=-5.75442e-006  A 6=-1.11660e-008  A 8=-1.76183e-011  A10= 2.21500e-014  A12=-3.07840e-016  
各種データ
ズーム比      2.50 
広角     中間     望遠
焦点距離      14.00    22.14    35.00  
Fナンバー      2.80     2.80     2.80  
半画角        48.00    35.09    23.96  
像高          15.55    15.55    15.55  
レンズ全長   219.00   219.00   219.00  
BF            42.06    42.06    42.06  
d12           31.88    16.40     4.19  
d17            1.99    15.04    21.80  
d19            1.99    11.81    27.64  
d24           19.98    12.59     2.20  
入射瞳位置    32.49    35.23    39.36  
射出瞳位置   -40.00   -40.00   -40.00  
前側主点位置  44.10    51.39    59.43  
後側主点位置  28.06    19.92     7.06  
ズームレンズ群データ
群  始面    焦点距離  レンズ構成長  前側主点位置  後側主点位置
1    1     -22.42        55.76        13.19        -31.45
2   13      60.10        14.80         6.04         -3.63
3   18      85.32         5.86         2.47         -1.23
4   20     -33.20         6.40         2.46         -1.46
5   25      43.74        38.30        11.72        -23.99
【００８７】
＜数値実施例２＞
単位 mm
面データ
面番号       r        d      nd         vd       有効径
1*       287.303    2.70   1.76385    48.5       81.72
2         31.984   15.50                         58.78
3*        60.519    1.80   1.76385    48.5       55.14
4         23.611   10.70                         41.51
5         89.099    1.25   1.59522    67.7       41.09
6         49.248    7.36                         39.51
7        -81.670    1.25   1.53775    74.7       39.23
8         37.263    4.51   1.85478    24.8       38.99
9         67.024    1.43                         38.61
10         66.566    9.62   1.49700    81.5       38.80
11        -45.278    0.15                         38.52
12        326.882    1.40   2.00100    29.1       34.85
13         61.213  (可変)                         33.51
14         56.327    1.00   1.85478    24.8       34.66
15         33.093    8.03   1.49700    81.5       34.38
16       -218.823    0.15                         34.85
17*        93.307    5.11   1.77250    49.6       35.31
18       -128.805  (可変)                         35.30
19       11610.358    5.75   1.59349    67.0       31.59
20        -39.722  (可変)                         31.66
21        -56.461    0.80   1.88300    40.8       18.74
22         17.384    4.83   1.85478    24.8       18.32
23       -109.985    0.86                         18.17
24        -33.672    0.80   1.88300    40.8       18.17
25       1473.319  (可変)                         18.40
26(絞り)    ∞       1.43                         18.72
27         42.364    3.56   1.77250    49.6       19.27
28        -93.033    5.45                         19.10
29         84.696    0.80   2.00100    29.1       17.08
30         20.229    4.00   1.80518    25.4       16.53
31       -118.228    2.19                         16.15
32        484.011    0.80   1.88300    40.8       14.95
33         14.438    3.51   1.49700    81.5       14.33
34         44.105    1.11                         15.51
35         27.191    7.02   1.43875    94.9       17.53
36        -13.864    0.80   2.00069    25.5       18.40
37        -42.929    0.15                         20.69
38       -125.920    4.83   1.77250    49.6       21.68
39        -20.810   39.88                         22.87
像面        ∞   
非球面データ
第1面
K = 1.26950e+001  A 4= 7.98800e-006  A 6=-6.57602e-009  A 8= 5.04249e-012  A10=-2.30700e-015  A12= 5.06732e-019  
第3面
K = 3.94166e-001  A 4=-5.96572e-006  A 6= 5.42546e-009  A 8= 5.61957e-012  A10=-1.53212e-014  A12= 8.06629e-018  
第17面
K =-4.12377e+000  A 4=-1.10688e-006  A 6=-8.00313e-010  A 8=-3.10207e-012  
各種データ
ズーム比      2.44 
広角     中間     望遠
焦点距離       9.00    14.07    22.00  
Fナンバー      2.80     2.80     2.80  
半画角        59.94    47.86    35.26  
像高          15.55    15.55    15.55  
レンズ全長   206.30   206.30   206.30  
BF            39.88    39.88    39.88  
d13           27.48    13.77     4.26  
d18            2.55    12.06    17.42  
d20            1.61    10.15    22.76  
d25           14.16     9.81     1.35  
入射瞳位置    25.01    26.37    28.25  
射出瞳位置   -49.98   -49.98   -49.98  
前側主点位置  33.11    38.24    44.86  
後側主点位置  30.88    25.81    17.88  
ズームレンズ群データ
群  始面    焦点距離  レンズ構成長  前側主点位置  後側主点位置
1    1     -13.76        57.67        12.64        -28.07
2   14      49.45        14.30         5.49         -3.71
3   19      66.48         5.75         3.59         -0.01
4   21     -26.65         7.28         2.16         -1.99
5   26      38.69        35.63        16.92        -19.90
【００８８】
＜数値実施例３＞
単位 mm
面データ
面番号       r        d      nd         vd       有効径
1*        77.848    2.70   1.76385    48.5       68.02
2         26.140   14.26                         49.05
3         62.979    1.80   1.76385    48.5       46.46
4         25.045   12.95                         38.62
5        -64.641    1.25   1.59522    67.7       38.09
6         42.830    5.53   1.80000    29.8       37.40
7        131.565    1.42                         36.94
8         59.311    8.36   1.49700    81.5       36.64
9        -57.389    0.15                         35.92
10        131.111    1.40   2.00100    29.1       32.46
11         51.672  (可変)                         30.98
12         87.230    1.00   1.85478    24.8       27.62
13         40.269    4.50   1.49700    81.5       27.66
14        188.148    0.25                         28.48
15*        79.814    4.98   1.76385    48.5       29.02
16        -88.985  (可変)                         29.44
17      -1494.811    5.48   1.59349    67.0       30.29
18*       -38.071  (可変)                         30.37
19(絞り)    ∞       1.04                         19.00
20        -58.008    0.80   1.88300    40.8       18.87
21         18.170    4.60   1.85478    24.8       18.51
22       -355.746    1.29                         18.36
23        -33.667    0.80   1.88300    40.8       18.34
24       -252.783  (可変)                         18.66
25         62.052    4.41   1.77250    49.6       27.81
26       -125.055   10.00                         28.23
27        226.928    6.35   1.84666    23.8       30.40
28        -32.064    1.00   2.00100    29.1       30.48
29         56.845    0.16                         31.32
30         32.222    1.00   1.85478    24.8       34.06
31         27.471   11.05   1.49700    81.5       33.73
32        -47.012    0.11                         34.07
33        178.832    4.48   1.48749    70.2       33.50
34        -79.858    0.20                         33.19
35         67.267    9.93   1.49700    81.5       31.44
36        -23.029    1.00   2.00100    29.1       30.33
37       -100.730   37.10                         31.08
像面        ∞   
非球面データ
第1面
K =-1.78343e+001  A 4= 8.32066e-006  A 6=-5.73535e-009  A 8= 4.92464e-012  A10=-2.37680e-015  A12= 6.67984e-019  
第15面
K =-5.71001e+000  A 4=-8.03218e-007  A 6= 5.77322e-009  A 8=-6.62213e-011  A10= 2.85093e-013  A12=-4.58371e-016  
第18面
K =-4.95348e-001  A 4=-3.26942e-007  A 6= 5.09915e-009  A 8=-4.34001e-011  A10= 1.65394e-013  A12=-2.37368e-016  
各種データ
ズーム比      3.33 
広角     中間     望遠
焦点距離      10.50    19.17    34.99  
Fナンバー      2.80     2.80     4.00  
半画角        55.97    39.05    23.96  
像高          15.55    15.55    15.55  
レンズ全長   225.23   225.23   225.23  
BF            37.10    37.10    37.10  
d11           41.51    19.24     6.05  
d16            1.44    16.58    24.64  
d18            1.68    14.07    32.07  
d24           19.24    13.98     1.11  
入射瞳位置    26.58    28.16    33.01  
射出瞳位置  -332.65  -144.15   -55.12  
前側主点位置  36.78    45.31    54.72  
後側主点位置  26.60    17.93     2.11  
ズームレンズ群データ
群  始面    焦点距離  レンズ構成長  前側主点位置  後側主点位置
1    1     -19.14        49.83        11.06        -25.94
2   12      61.81        10.73         4.88         -1.83
3   17      65.50         5.48         3.52          0.09
4   19     -25.99         8.53         3.31         -2.18
5   25      38.60        49.70         9.90        -27.40
【００８９】
＜数値実施例４＞
単位 mm
面データ
面番号       r        d      nd         vd       有効径
1*       635.351    2.70   1.76385    48.5       81.48
2         37.645   13.38                         62.17
3*        65.786    1.80   1.76385    48.5       58.06
4         26.359   17.20                         44.87
5        -67.137    1.25   1.53775    74.7       44.57
6         39.279    6.03   1.80000    29.8       44.95
7         88.105    1.32                         44.62
8         75.909   10.48   1.49700    81.5       44.82
9        -55.299    0.15                         44.49
10        267.530    1.40   1.95375    32.3       40.37
11         66.549  (可変)                         38.83
12        111.730    1.00   1.85478    24.8       38.00
13         46.553    8.03   1.49700    81.5       37.83
14       -116.060    0.15                         38.20
15*        82.727    5.84   1.76385    48.5       38.45
16       -147.152  (可変)                         38.08
17       -237.826    4.49   1.59349    67.0       31.30
18        -48.626  (可変)                         31.28
19        -68.749    0.80   1.88300    40.8       20.53
20         20.988    4.87   1.85478    24.8       20.18
21       -118.798    0.89                         20.04
22        -39.129    0.80   1.88300    40.8       20.04
23        464.892  (可変)                         20.27
24(絞り)    ∞       1.41                         22.56
25         38.435    4.21   1.77250    49.6       23.32
26       -155.783   11.68                         23.03
27         77.374    3.83   1.75520    27.5       18.14
28        -31.781    0.80   2.00100    29.1       17.48
29         26.506    1.21                         17.69
30         24.512    0.80   1.88300    40.8       19.67
31         18.690    6.11   1.49700    81.5       19.75
32        -53.118    5.70                         20.70
33         38.724    6.48   1.43875    94.9       24.47
34        -31.488    0.80   2.00100    29.1       24.63
35        -53.868   38.87                         25.16
像面        ∞   
非球面データ
第1面
K =-5.93998e+002  A 4= 7.72789e-006  A 6=-6.14283e-009  A 8= 4.43506e-012  A10=-1.93389e-015  A12= 4.10784e-019  
第3面
K =-3.49710e-001  A 4=-4.95136e-006  A 6= 1.73291e-009  A 8= 7.27859e-012  A10=-1.18345e-014  A12= 5.14306e-018  
第15面
K =-8.12671e-001  A 4=-3.54186e-007  A 6=-2.69286e-010  A 8=-5.05059e-013  
各種データ
ズーム比      3.33 
広角     中間     望遠
焦点距離      10.50    19.17    34.99  
Fナンバー      2.80     2.80     3.69  
半画角        55.97    39.05    23.96  
像高          15.55    15.55    15.55  
レンズ全長   228.87   228.87   228.87  
BF            38.87    38.87    38.87  
d11           39.11    18.72     6.03  
d16            1.72    16.15    21.32  
d18            1.65    14.40    35.63  
d23           21.94    15.14     1.43  
入射瞳位置    27.31    30.21    34.88  
射出瞳位置   -49.98   -49.98   -49.98  
前側主点位置  36.57    45.25    56.10  
後側主点位置  28.37    19.70     3.88  
ズームレンズ群データ
群  始面    焦点距離  レンズ構成長  前側主点位置  後側主点位置
1    1     -18.78        55.71        10.86        -29.93
2   12      54.33        15.01         6.79         -2.65
3   17     101.72         4.49         3.50          0.72
4   19     -30.89         7.36         2.33         -1.89
5   24      43.11        43.02        13.41        -30.51
【００９０】
＜数値実施例５＞
単位 mm
面データ
面番号       r        d      nd         vd       有効径
1*        97.664    2.70   1.69680    55.5       67.22
2         26.964   22.70                         49.58
3        -72.616    1.50   1.59522    67.7       47.81
4         55.504    1.08                         46.08
5         48.165    3.42   1.72047    34.7       46.69
6         61.509    2.00                         46.13
7         59.225    9.17   1.49700    81.5       46.28
8       -109.308    0.18                         45.80
9         76.270    1.71   1.77250    49.6       42.42
10         45.087  (可変)                         40.37
11         83.416    1.20   1.85478    24.8       38.46
12         41.000    8.11   1.49700    81.5       38.34
13       -270.382    0.19                         38.94
14         73.315    6.23   1.76385    48.5       39.90
15       -203.375  (可変)                         39.65
16        397.178    5.52   1.59522    67.7       37.35
17        -68.336  (可変)                         37.14
18        -51.939    0.90   1.69680    55.5       22.13
19         26.054    3.89   1.85478    24.8       21.70
20        133.254    1.42                         21.38
21        -67.788    0.90   1.77250    49.6       21.36
22         80.916  (可変)                         21.47
23(絞り)    ∞       1.49                         21.96
24         58.879    4.31   1.77250    49.6       22.72
25        -53.867    9.76                         22.70
26        -25.538    3.36   1.92286    18.9       19.71
27        -17.105    1.50   2.00069    25.5       20.62
28        -43.787    0.19                         22.44
29       -226.408    1.00   1.88300    40.8       23.13
30         76.502    6.41   1.49700    81.5       23.83
31        -24.335    1.00                         24.85
32         57.221    6.36   1.49700    81.5       25.85
33        -30.389    1.28   1.85478    24.8       25.77
34*      -101.457  (可変)                         26.26
像面        ∞   
非球面データ
第1面
K = 0.00000e+000  A 4= 2.59476e-006  A 6= 4.52343e-010  A 8=-1.09611e-012  A10= 1.03525e-015  A12=-2.59331e-019  
第34面
K = 0.00000e+000  A 4= 1.27718e-006  A 6=-1.70513e-009  A 8= 9.12929e-012  A10=-3.12855e-014  A12= 2.81484e-017  
各種データ
ズーム比      3.00 
広角     中間     望遠
焦点距離      16.00    27.71    48.00  
Fナンバー      2.80     2.80     2.80  
半画角        44.18    29.30    17.95  
像高          15.55    15.55    15.55  
レンズ全長   219.00   219.00   219.00  
BF            47.69    48.50    49.15  
d10           40.35    22.85     6.55  
d15            1.97    17.36    22.12  
d17            1.97    11.04    29.51  
d22           17.55     9.78     2.19  
d34           47.69    48.50    49.15  
入射瞳位置    34.37    39.08    49.20  
射出瞳位置   -39.99   -39.99   -39.99  
前側主点位置  47.45    58.12    71.35  
後側主点位置  31.69    20.79     1.15  
ズームレンズ群データ
群  始面    焦点距離  レンズ構成長  前側主点位置  後側主点位置
1    1     -31.15        44.46         9.32        -24.54
2   11      58.23        15.73         6.25         -3.70
3   16      98.05         5.52         2.96         -0.51
4   18     -27.91         7.11         2.90         -1.53
5   23      39.52        36.66        13.49        -19.52
【００９１】
＜数値実施例６＞
単位 mm
面データ
面番号       r        d      nd         vd       有効径
1*       213.953    2.00   1.77250    49.6       57.53
2         30.585   16.41                         46.50
3        -71.533    1.35   1.59522    67.7       45.66
4        165.576    0.20                         45.66
5         63.295    3.38   1.85478    24.8       46.15
6         92.283    1.92                         45.64
7         65.796    8.44   1.48749    70.2       45.43
8       -108.430    0.17                         44.85
9         74.198    1.40   1.72916    54.7       41.19
10         47.026  (可変)                         39.41
11         72.387    1.30   1.85478    24.8       39.01
12         47.604    9.15   1.49700    81.5       39.02
13        -85.196  (可変)                         39.63
14         67.568    5.66   1.61800    63.3       41.06
15       10136.352  (可変)                         40.62
16(絞り)    ∞     (可変)                         24.97
17        -44.373    0.80   1.69680    55.5       17.57
18         32.124    2.90   1.84666    23.8       17.58
19        128.836    0.49                         17.50
20      -1597.790    0.80   1.88300    40.8       17.50
21        136.058  (可変)                         17.53
22         48.867    5.91   1.77250    49.6       28.82
23        -62.017    1.96                         28.96
24        -55.317    2.81   1.95906    17.5       28.50
25        -48.869    1.00   2.00069    25.5       28.85
26        -81.679    0.20                         29.12
27         35.644    1.00   1.88300    40.8       28.79
28         25.565    3.26   1.49700    81.5       27.87
29         26.880    5.13                         27.19
30         55.766    9.23   1.49700    81.5       27.92
31        -24.144    1.00   1.85478    24.8       27.85
32        -56.843   51.43                         28.74
像面        ∞   
非球面データ
第1面
K = 0.00000e+000  A 4= 1.80955e-006  A 6= 5.93493e-010  A 8=-2.34968e-012  A10= 2.49507e-015  A12=-9.61727e-019  
各種データ
ズーム比      4.72 
広角     中間     望遠
焦点距離      18.00    39.12    85.00  
Fナンバー      4.00     4.00     4.00  
半画角        40.82    21.68    10.37  
像高          15.55    15.55    15.55  
レンズ全長   237.85   237.85   237.85  
BF            51.43    51.43    51.43  
d10           67.10    25.39     7.39  
d13            1.49    16.45     7.49  
d15            1.49    28.25    55.21  
d16            1.50     8.36    26.97  
d21           26.96    20.10     1.50  
入射瞳位置    33.06    38.73    51.80  
射出瞳位置  -169.86  -142.05   -66.56  
前側主点位置  49.60    69.94    75.57  
後側主点位置  33.43    12.31   -33.57  
ズームレンズ群データ
群  始面    焦点距離  レンズ構成長  前側主点位置  後側主点位置
1    1     -43.17        35.27         2.22        -26.09
2   11     100.24        10.45         3.48         -3.48
3   14     109.63         5.66        -0.02         -3.52
4   16       ∞           0.00         0.00         -0.00
5   17     -39.89         4.99         1.27         -1.63
6   22      44.28        31.50         2.99        -20.21
【００９２】
＜数値実施例７＞
単位 mm
面データ
面番号       r        d      nd         vd       有効径
1*       167.980    2.00   1.77250    49.6       56.79
2         29.747   17.13                         45.77
3        -74.315    1.35   1.59522    67.7       44.33
4        107.147    0.20                         44.00
5         59.948    3.41   1.85478    24.8       44.38
6         88.341    2.16                         43.86
7         68.247    8.05   1.48749    70.2       43.66
8        -97.443    0.16                         43.12
9         92.034    1.40   1.72916    54.7       41.22
10         50.996  (可変)                         40.77
11         65.036    1.30   1.85478    24.8       43.06
12         44.777   10.81   1.49700    81.5       42.73
13        -84.132  (可変)                         43.07
14       -124.154    4.39   1.49700    81.5       42.78
15        -62.677    1.30   1.69680    55.5       42.96
16        -92.278    0.20                         43.33
17*        60.605    5.82   1.60311    60.6       42.78
18        458.389  (可変)                         41.99
19(絞り)    ∞       1.50                         17.93
20        -40.715    0.80   1.77250    49.6       17.78
21         27.609    4.07   1.84666    23.8       17.89
22        101.261  (可変)                         17.90
23       -182.598    3.20   1.77250    49.6       26.45
24        -55.214    0.18                         27.29
25         67.111    1.00   1.88300    40.8       28.51
26         46.737    6.04   1.49700    81.5       28.47
27        -59.262    8.83                         28.76
28         85.376    6.80   1.49700    81.5       28.32
29        -39.838    1.00   1.85478    24.8       27.90
30       -573.600   53.61                         28.03
像面        ∞   
非球面データ
第1面
K = 0.00000e+000  A 4= 2.16928e-006  A 6=-6.15524e-011  A 8=-1.32253e-012  A10= 1.59167e-015  A12=-6.26038e-019  
第17面
K = 0.00000e+000  A 4=-8.98342e-008  A 6= 8.95711e-011  A 8=-2.77703e-013  
各種データ
ズーム比      4.72 
広角     中間     望遠
焦点距離      18.00    39.12    85.00  
Fナンバー      4.00     4.00     4.00  
半画角        40.82    21.68    10.37  
像高          15.55    15.55    15.55  
レンズ全長   239.59   239.59   239.59  
BF            53.61    53.61    53.61  
d10           63.05    22.79     5.91  
d13            1.43    14.27     3.63  
d18            1.44    35.40    81.87  
d22           26.96    20.42     1.48  
入射瞳位置    32.49    41.02    77.01  
射出瞳位置  -134.63   -78.81   -26.00  
前側主点位置  48.77    68.58    71.26  
後側主点位置  35.61    14.50   -31.39  
ズームレンズ群データ
群  始面    焦点距離  レンズ構成長  前側主点位置  後側主点位置
1    1     -39.35        35.86         3.55        -24.96
2   11      92.15        12.11         3.82         -4.31
3   14     107.30        11.71         5.14         -2.28
4   19     -40.00         6.37         2.34         -1.76
5   23      44.66        27.05         1.36        -17.97
【００９３】
＜数値実施例８＞
単位 mm
面データ
面番号       r        d      nd         vd       有効径
1*       292.496    3.00   1.60311    60.6       79.68
2         27.771   16.00                         52.90
3         58.575    2.40   1.59522    67.7       50.18
4         30.555    8.61                         43.73
5         67.617    2.40   1.59522    67.7       42.02
6         37.202   13.52                         39.10
7        -36.490    1.50   1.59522    67.7       38.31
8       -265.008    0.19                         39.98
9        103.383    3.22   1.72047    34.7       41.00
10        259.506    1.94                         41.04
11        121.921    8.51   1.51742    52.4       41.49
12        -47.659    0.17                         41.45
13        283.046    1.71   1.77250    49.6       38.15
14         60.253  (可変)                         36.63
15         79.660    1.20   1.83400    37.2       35.71
16         41.204    8.09   1.59522    67.7       35.58
17       -107.224  (可変)                         35.84
18         91.474    6.21   1.49700    81.5       38.30
19        -88.777    1.70   1.85478    24.8       38.35
20       -217.982    0.20                         38.67
21         73.547    6.94   1.48749    70.2       38.84
22       -102.895  (可変)                         38.47
23        -54.336    1.00   1.88300    40.8       22.20
24         40.367    4.79   1.85478    24.8       22.14
25        -48.877    1.00   1.88300    40.8       22.12
26         96.959  (可変)                         22.11
27(絞り)    ∞       3.02                         22.43
28         49.195    4.50   1.77250    49.6       23.32
29       -114.490   10.01                         23.06
30       -273.857    1.50   1.90366    31.3       19.47
31         40.627    3.43   1.80809    22.8       19.07
32       -169.549    0.19                         19.27
33        145.224    1.00   1.88300    40.8       19.44
34         19.093    5.56   1.49700    81.5       19.62
35        -95.418    1.00                         20.55
36         61.714    7.44   1.49700    81.5       21.84
37        -17.916    1.28   1.85478    24.8       22.36
38*       -34.369   45.32                         23.69
像面        ∞   
非球面データ
第1面
K = 4.34647e+001  A 4= 4.29705e-006  A 6=-1.95019e-009  A 8= 5.42308e-013  A10= 1.09740e-016  A12=-7.43557e-020  
第38面
K = 0.00000e+000  A 4=-6.09047e-006  A 6=-1.78926e-008  A 8= 9.11734e-011  A10=-6.90669e-013  A12= 1.51742e-015  
各種データ
ズーム比      2.50 
広角     中間     望遠
焦点距離      12.00    18.97    30.00  
Fナンバー      2.80     2.80     2.80  
半画角        50.96    37.96    26.26  
像高          14.80    14.80    14.80  
レンズ全長   232.70   232.70   232.70  
BF            45.32    45.32    45.32  
d14           30.22    12.43     2.03  
d17            1.97     8.53    11.95  
d22            1.89    18.58    38.09  
d26           20.08    14.61     2.09  
入射瞳位置    29.65    31.99    35.01  
射出瞳位置   -39.99   -39.99   -39.99  
前側主点位置  39.96    46.74    54.46  
後側主点位置  33.32    26.34    15.32  
ズームレンズ群データ
群  始面    焦点距離  レンズ構成長  前側主点位置  後側主点位置
1    1     -18.88        63.17        12.89        -35.37
2   15      98.98         9.29         2.79         -3.04
3   18      61.88        15.05         5.23         -4.94
4   23     -36.71         6.79         1.29         -2.26
5   27      44.57        38.92        12.73        -22.16
【００９４】
【表１】
2019003073.tif 000004
【符号の説明】
【００９５】
Ｕ１      第１レンズ群
Ｕ２      第２レンズ群
Ｕ３      第３レンズ群
Ｕ４      第４レンズ群
Ｕ５      第５レンズ群
ＳＰ      開口絞り
Ｉ        像面
【図１】
2019003073.tif 000005
【図２】
2019003073.tif 000006
【図３】
2019003073.tif 000007
【図４】
2019003073.tif 000008
【図５】
2019003073.tif 000009
【図６】
2019003073.tif 000010
【図７】
2019003073.tif 000011
【図８】
2019003073.tif 000012
【図９】
2019003073.tif 000013
【図１０】
2019003073.tif 000014
【図１１】
2019003073.tif 000015
【図１２】
2019003073.tif 000016
【図１３】
2019003073.tif 000017
【図１４】
2019003073.tif 000018
【図１５】
2019003073.tif 000019
【図１６】
2019003073.tif 000020
【図１７】
2019003073.tif 000021
【図１８】
2019003073.tif 000022